(57)【要約】【課題】  ボールのようなものを収納保管する袋体であってボール等が容易に挿脱できる簡便安価な構造のボール収納籠を提供する。【解決手段】  支柱２に周縁を支持される袋体１にはその上方の開口部４から中間位置までチャック５が設けられる。このチャック５を開放することによりボール７等を袋体１内に簡便に収納することができると共にボール等を取り出すこともできる。【選択図】  図１
0003154823.tif 000002
【実用新案登録請求の範囲】
【請求項１】
ボールの収納可能な袋体であって、該袋体は、上方に開口部を有する立方体状部材からなり、前記立方体状部材の前面及び／又は全面には前記開口部側から中間位置まで前記立方体状部材を開閉するための開閉手段が設けられることを特徴とするボール収納籠。
【請求項２】
前記開閉手段がチャックであることを特徴とする請求項１に記載のボール収納籠。
【請求項３】
前記立方体状部材が、網目又は半透明のものからなることを特徴とする請求項１又は２に記載のボール収納籠。
【請求項４】
前記立方体状部材は、その周縁をキャスタ付の支柱により支持され、前記開口部は地表より少なくとも人間の身長以上の位置にあることを特徴とする請求項１乃至３のいずれかに記載のボール収納籠。
【考案の詳細な説明】
【技術分野】
【０００１】
本考案は、例えば、バレーボールやバスケットボール等のボールを不使用時に収納保管すると共に、ボールの挿脱が容易にできるボール収納籠に関する。
【背景技術】
【０００２】
従来一般に使用されているボール収納籠１００Ａとしては図３に示すようなものがある。このものは図示のように支柱２Ａにその周縁を連結して保持される袋体１Ａからなる。この袋体１Ａは地表３から高さＨの位置にあり、その上面に開口部４を形成するものからなる。高さＨの寸法によってはボール７を袋体１Ａ内に挿入するのが難しく挿入を失敗するケースが時折発生する。一方、もし高さＨが人間の身長よりも低い位置にあるとボール収納籠１００Ａの存在が邪魔になる問題点がある。
一方、このボール収納籠に関する公知技術としては数多くのものがあるが本考案に比較的似ているものとして例えば「特許文献１」が挙げられる。
【先行技術文献】
【特許文献】
【０００３】
【特許文献１】特開２００１−３０９９９７号（図１０）
【考案の概要】
【考案が解決しようとする課題】
【０００４】
「特許文献１」の「特開２００１−３０９９９７号」の「球技用ボール入れ籠」は、立設する三本の支柱（２）に袋状のボール収納袋（８）を取り付けたものからなるが、この支柱（２）が縮閉可能に形成され支柱（２）及びボール収納袋（８）の全体が折り畳み可能となり収納スペースを小さくする点に特徴を有するものである。よって、後に説明する本考案のようにボールの挿脱を容易にするものとは相異する。また、その他の公知文献でも本考案と同一又は類似にするものは見当らない。
【０００５】
本考案は、以上の事情に鑑みて考案されたものであり、開口部が地表より少なくとも人間の身長よりも高い位置にあるがボールの挿脱が容易に、かつ確実に出来、ボールの収納保管も安全にできるボール収納籠を提供することを目的とする。
【課題を解決するための手段】
【０００６】
本考案は、以上の目的を達成するために、請求項１の考案は、ボールの収納可能な袋体であって、該袋体は、上方に開口部を有する立方体状部材からなり、前記立方体状部材の前面及び／又は全面には前記開口部側から中間位置まで前記立方体状部材を開閉するための開閉手段が設けられることを特徴とする。
【０００７】
また、請求項２の考案は、前記開閉手段がチャックであることを特徴とする。
【０００８】
また、請求項３の考案は、前記立方体状部材が、網目又は半透明のものからなることを特徴とする。
【０００９】
また、請求項４の考案は、前記立方体状部材は、その周縁をキャスタ付の支柱により支持され、前記開口部は地表より少なくとも人間の身長以上の位置にあることを特徴とする。
【考案の効果】
【００１０】
本考案の請求項１のボール収納籠によれば、袋体に開閉部を設けることにより、ボールの挿脱時はこの開閉部を開放することにより容易にできる。なお、この開閉部は途中までしかなく、挿入されるボールはボール収納籠内に安全に収納される。よって、ボール収納籠の高さが人間の身長よりも高くてもボールの挿脱を容易に行うことができる。
【００１１】
また、請求項２のボール収納籠によれば、開閉部がチャックよりなるため、その開閉が円滑に、かつ容易に行われる。また、開閉部も安価に形成される。
【００１２】
また、請求項３のボール収納籠によれば、立方体状部材は網目又は不透明のものからなり、内部に収納されているボールを目視することが容易にできる。
【００１３】
また、請求項４のボール収納籠によれば、立方体状部材は人間の身長よりも高い位置にあるためその存在が特に邪魔にならず、かつ支柱はキャスタを有するためそのセット位置を容易に変更させることができる。
【図面の簡単な説明】
【００１４】
【図１】本考案のボール収納籠の全体構造を示す斜視図。
【図２】本考案のボール収納籠のボール収納時（ａ）及びボール取り出し時の状態（ｂ）を示す模式的斜視図。
【図３】従来のボール収納籠の概要構造とその問題点を説明するための模式的斜視図。
【考案を実施するための形態】
【００１５】
以下、本考案のボール収納籠の実施の形態を図面を参照して詳述する。
【実施例１】
【００１６】
図１に示すように本考案のボール収納籠１００は立方体状部材である袋体１と袋体１の周縁を支持して立設する支柱２とから構成される。袋体１は本実施例では上方に開口部４を形成し内部にボール７（図２）を収納する直方体状のスペースを有するものからなり、その前面には開閉手段の１つであるチャック５が設けられている。なお、袋体１の開口部４の地表３よりの高さＨは人間の身長より高い寸法からなる。
支柱２は４本の隅柱２ａと、この隅柱２ａを補強する補強部材２ｂとからなり、各隅柱２ａの下方にはキャスタ６が夫々設けられている。
【００１７】
チャック５は袋体１の前面の中間位置まで設けられ、チャック５の下端と地表との間の距離ｈは人間の身長を下廻る寸法からなる。なお、ボール７は袋体１の開口部４側からその内部に挿入されることになるが、図１に示すチャック５の閉止状態ではボール７の挿脱は難しい。
【００１８】
図２（ａ），（ｂ）は本実施例の作用を示すものである。図２（ａ）はボール収納籠１００の袋体１の内部にボール７が収納されている状態を示す。
一方、図２（ｂ）はボール７の挿脱状態を示すものである。即ち、この場合はチャック５を開き、袋体１の前面が高さｈの状態になるようにする。この高さｈは人間の身長よりも低いためこの前面からボール７を容易に袋体１の内部に挿入することができる。また、袋体１内に収納されているボール７もチャック５の開放されている前面から容易に取り出すことができる。
【００１９】
袋体１内にボール７が収納された後にはチャック５を閉止し図２（ａ）に示す状態にすることによりボール７は袋体１内に安全状態で収納されることになる。
【００２０】
以上のように袋体１Ａにチャック５を設けるだけの簡便の手段によりボール７の挿脱が容易にでき、かつ袋体１内にボール７を安全に収納保管することができる。なお、本実施例では袋体１の前面にのみチャック５を設けたが前後及び後面又は全面にチャック５を設けてもよい。なお、開閉手段としてはチャック５に限定するものではないことは勿論である。
【００２１】
本考案は、以上の内容のものからなるが、本考案は以上の内容に限定するものではなく同一技術的範疇のものが適用されることは勿論である。
【産業上の利用可能性】
【００２２】
本考案のボール収納籠は競技用等に用いるすべてのボールの収納保管に適用される他、挿脱を必要とする他の部材にも応用可能であり、その利用範囲は広い。
【符号の説明】
【００２３】
１    袋体
２    支柱
２ａ  隅柱
２ｂ  補強部材
３    地表
４    開口部
５    チャック
６    キャスタ
７    ボール
【図１】
0003154823.tif 000003
【図２】
0003154823.tif 000004
【図３】
0003154823.tif 000005